(57)【要約】【課題】画像データを表示する際に、画像データの元ファイルの作成者の意図に反して秘匿情報が表示されることを防止する。【解決手段】情報処理装置であって、第１の通信装置から受信した画像データ内に秘匿情報が含まれるか否かを判定する判定部と、判定部により画像データ内に秘匿情報が含まれると判定された場合、当該画像データの作成者が所有する第２の通信装置へ当該画像データの表示可否を問合わせる問合部と、問合部による問合せの応答を第２の通信装置から受信する受信部と、受信部により受信した応答が画像データの表示可を示す場合には表示部に画像データを表示させ、画像データの表示不可を示す場合には表示部に画像データを表示させないように制御する制御部と、を有する。【選択図】  図４
2013224983.tif 000002
【特許請求の範囲】
【請求項１】
情報処理装置であって、
第１の通信装置から受信した画像データ内に秘匿情報が含まれるか否かを判定する判定手段と、
前記判定手段により前記画像データ内に秘匿情報が含まれると判定された場合、当該画像データの作成者が所有する第２の通信装置へ当該画像データの表示可否を問合わせる問合手段と、
前記問合手段による前記問合せの応答を前記第２の通信装置から受信する受信手段と、
前記受信手段により受信した前記応答が前記画像データの表示可を示す場合には表示部に前記画像データを表示させ、前記画像データの表示不可を示す場合には前記表示部に前記画像データを表示させないように制御する制御手段と、
を有することを特徴とする情報処理装置。
【請求項２】
前記画像データから当該画像データの作成者情報を抽出する抽出手段と、
前記作成者情報に基づいて、前記秘匿情報を含む前記画像データの作成者が所有する前記第２の通信装置への接続情報を取得する取得手段と、
をさらに有し、
前記問合手段は、前記接続情報に基づいて、前記秘匿情報を含む前記画像データの表示可否を前記第２の通信装置に問合わせることを特徴とする請求項１に記載の情報処理装置。
【請求項３】
前記抽出手段により前記作成者情報が抽出されなかった場合、あるいは、前記取得手段により前記接続情報が取得されなかった場合には、前記制御手段は前記表示部に前記画像データを表示させないように制御することを特徴とする請求項２に記載の情報処理装置。
【請求項４】
前記作成者情報と前記接続情報とを関連付けて登録する登録手段をさらに有し、
前記抽出手段は、前記登録手段により登録された作成者情報の中から前記画像データの作成者情報を抽出し、
前記取得手段は、前記作成者情報と関連付けて登録された接続情報を取得することを特徴とする請求項２または３に記載の情報処理装置。
【請求項５】
前記抽出手段により前記作成者情報が複数抽出された場合、当該抽出された全ての作成者情報について、前記取得手段は、当該作成者情報に対応する全ての接続情報を取得することを試み、
前記制御手段は、前記対応する全ての接続情報が取得されなかった場合には、前記表示部に前記画像データを表示させないように制御することを特徴とする請求項２乃至４の何れか１項に記載の情報処理装置。
【請求項６】
前記取得手段により前記対応する全ての接続情報を取得された場合に、
前記問合手段は、前記全ての作成者のそれぞれに対応する通信装置に対し、前記秘匿情報を含む画像データの表示可否の要求を送信し、
前記制御手段は、前記全ての作成者のそれぞれに対応する通信装置から受信した表示可否の応答が表示可である場合に、前記表示部に前記画像データを表示させることを特徴とする請求項５に記載の情報処理装置。
【請求項７】
前記画像データに無線パラメータの情報が埋め込まれている場合に、前記画像データから当該無線パラメータを取得する無線パラメータ取得手段と、
前記無線パラメータを用いて無線ネットワークを構築する構築手段と、をさらに有し、
前記問合せ手段は、前記無線ネットワークに接続された通信装置へ、前記表示可否を問合わせることを特徴とする請求項１乃至６のいずれか１項に記載の情報処理装置。
【請求項８】
前記秘匿情報を含む画像データの転送先となる他の通信装置の登録を受け付ける受付手段と、
前記判定手段により前記秘匿情報が含まれると判定された場合に、前記受付手段により登録された他の通信装置へ前記画像データを転送する転送手段と、
をさらに有することを特徴とする請求項１乃至７のいずれか１項に記載の情報処理装置。
【請求項９】
前記判定手段は、秘匿性を示す文字列が前記画像データ内に含まれるか否かを解析することによって前記画像データ内に秘匿情報が含まれるか否かを判定することを特徴とする請求項１乃至８の何れか１項に記載の情報処理装置。
【請求項１０】
前記判定手段は、前記画像データ内に人物の顔画像が含まれているか否かを解析することによって、前記画像データ内に秘匿情報が含まれるか否かを判定することを特徴とする請求項１乃至９の何れか１項に記載の情報処理装置。
【請求項１１】
通信装置であって、
秘匿情報を含む画像データを情報処理装置から受信する受信手段と、
前記受信手段により受信した前記画像データから、当該画像データの作成者の情報を抽出する抽出手段と、
前記抽出手段により抽出された前記作成者の情報に対応する他の通信装置に、前記画像データの表示可否を問い合わせる信号を送信する送信手段と、
を有することを特徴とする通信装置。
【請求項１２】
情報処理装置の制御方法であって、
第１の通信装置から受信した画像データ内に秘匿情報が含まれるか否かを判定する判定工程と、
前記画像データ内に秘匿情報が含まれると判定された場合、当該画像データの作成者が所有する第２の通信装置へ当該画像データの表示可否を問合わせる問合工程と、
前記問合せの応答を前記第２の通信装置から受信する受信工程と、
前記応答が前記画像データの表示可を示す場合には表示部に前記画像データを表示させ、前記画像データの表示不可を示す場合には前記表示部に前記画像データを表示させないように制御する制御工程と、
を有することを特徴とする情報処理装置の制御方法。
【請求項１３】
通信装置の制御方法であって、
秘匿情報を含む画像データを情報処理装置から受信する受信工程と、
受信した前記画像データから、当該画像データの作成者の情報を抽出する抽出工程と、
抽出された前記作成者の情報に対応する他の通信装置に、前記画像データの表示可否を問い合わせる信号を送信する送信工程と、
を有することを特徴とする通信装置の制御方法。
【請求項１４】
請求項１２に記載の情報処理装置の制御方法の各工程をコンピュータに実行させるためのプログラム。
【請求項１５】
請求項１３に記載の通信装置の制御方法の各工程をコンピュータに実行させるためのプログラム。
【発明の詳細な説明】
【技術分野】
【０００１】
本発明は、情報処理装置、通信装置、それらの制御方法、画像表示システム、およびプログラムに関する。
【背景技術】
【０００２】
近年、パーソナル・コンピュータ（ＰＣ）内の資料ファイルやカメラ内の画像データなどを複数人で視聴するためのモニタ装置として、液晶プロジェクタが使用されている。ここでＰＣやカメラが保持する画像データを液晶プロジェクタが投影する際に、画像データによっては表示すべきではなく秘匿にしておきたい場合がある。
【０００３】
特許文献１では、非表示の指示に基づいて、情報処理装置で表示する画面情報と、表示装置に表示する画面情報との間で表示内容を変更する技術が開示されている。
【先行技術文献】
【特許文献】
【０００４】
【特許文献１】特開２００５−３４５５４３号公報
【発明の概要】
【発明が解決しようとする課題】
【０００５】
しかしながら、特許文献１に記載の技術では、データの送信元端末が処理を実行する機能を有する必要がある。資料ファイルや画像データは、他の装置などにコピーして二次利用される場合もあり、当該機能を有していない端末が送信元である場合、秘匿にしておきたい情報が不特定多数の人物に対して表示されてしまう場合がある。
【０００６】
また、液晶プロジェクタへ入力される画像データにはＲＧＢデータが用いられるため、ＰＣやカメラなどの送信元端末から、画像データと共に当該画像データが秘匿情報であるか否かといった情報を取得することができない。したがって、液晶プロジェクタが、画像データに基づいて当該画像データが秘匿情報であるか否かを判断することができていない。さらには、資料ファイルや画像データの作成者が必ずしも液晶プロジェクタに表示する際に用いられるＰＣやカメラの操作者であるとは限らないので、作成者自身が表示の可否を判断できない。
【０００７】
上記の課題に鑑み、本発明は、画像データを表示する際に、画像データの元ファイルの作成者の意図に反して秘匿情報が表示されるのを防止することを目的とする。
【課題を解決するための手段】
【０００８】
上記の目的を達成する本発明に係る情報処理装置は、
情報処理装置であって、
第１の通信装置から受信した画像データ内に秘匿情報が含まれるか否かを判定する判定手段と、
前記判定手段により前記画像データ内に秘匿情報が含まれると判定された場合、当該画像データの作成者が所有する第２の通信装置へ当該画像データの表示可否を問合わせる問合手段と、
前記問合手段による前記問合せの応答を前記第２の通信装置から受信する受信手段と、
前記受信手段により受信した前記応答が前記画像データの表示可を示す場合には表示部に前記画像データを表示させ、前記画像データの表示不可を示す場合には前記表示部に前記画像データを表示させないように制御する制御手段と、
を有することを特徴とする。
【発明の効果】
【０００９】
本発明によれば、画像データを表示する際に、画像データの元ファイルの作成者の意図に反して秘匿情報が表示されることを防止できる。
【図面の簡単な説明】
【００１０】
【図１】第１実施形態に係るネットワーク構成図。
【図２】第１実施形態に係るプロジェクタ１０１の構成例を示すブロック図。
【図３】第１実施形態に係る携帯電話１０２の構成例を示すブロック図。
【図４】第１実施形態に係る一連の処理を示すシーケンス図。
【図５】第１実施形態に係るプロジェクタ１０１が実施する処理の手順を示すフローチャート。
【図６】第１実施形態に係る携帯電話１０２が実施する処理の手順を示すフローチャート。
【図７】第２実施形態に係るネットワーク構成図。
【図８】第２実施形態に係るシーケンス図。
【図９】第２実施形態に係るプロジェクタ１０１が実施する処理の手順を示すフローチャート。
【図１０】第２実施形態に係る携帯電話１０２が実施する処理の手順を示すフローチャート。
【図１１】第３実施形態に係るネットワーク構成図。
【図１２】第３実施形態に係る携帯電話１１０１の構成例を示すブロック図。
【図１３】第３実施形態に係る一連の処理を示すシーケンス図。
【図１４】第３実施形態に係るプロジェクタ１０１が実施する処理の手順を示すフローチャート。
【図１５】第３実施形態に係る携帯電話１１０１が実施する処理の手順を示すフローチャート。
【発明を実施するための形態】
【００１１】
（第１実施形態）
図１を参照して、第１実施形態に係るネットワーク構成を説明する。ネットワークは、プロジェクタ１０１と、携帯電話１０２と、ノートＰＣ１０３とにより構成される。なお、他の装置がネットワーク構成に含まれてもよい。
【００１２】
ノートＰＣ１０３は資料ファイルを有しており、当該資料ファイルを画像データとしてプロジェクタ１０１（情報処理装置）へ出力する。プロジェクタ１０１は、ノートＰＣ１０３（第１の通信装置）から取得した画像データを投影する。ここで資料ファイルの作成者は携帯電話１０２（第２の通信装置）を所有しているものとする。プロジェクタ１０１は、無線ＬＡＮによる通信が可能であり、無線ＬＡＮアクセスポイント１０４が構築する無線ＬＡＮネットワーク１０５に接続している。また無線ＬＡＮアクセスポイント１０４は、インターネット１０６に接続している。プロジェクタ１０１は、インターネット１０６、公衆網１０７、および公衆網基地局１０８を介して、携帯電話１０２と通信を行うことができる。以下、プロジェクタ１０１と携帯電話１０２とを有する画像表示システムについて説明していく。
【００１３】
なお、プロジェクタ１０１はメールの送受信機能を有しており、上述の経路で携帯電話１０２とメールの送受信ができるものとする。携帯電話１０２とのメールの送受信に必要なメールアドレス等の接続情報は、携帯電話１０２の所有者情報と関連付けられ、通知先情報として予めプロジェクタ１０１に登録されているものとする。ここで、所有者情報は携帯電話１０２の所有者の氏名などである。プロジェクタ１０１への登録の方法としては、携帯電話１０２とプロジェクタ１０１とが通信して携帯電話１０２の通知先情報を登録するようにしてもよいし、ＰＣなどを用いてプロジェクタ１０１と接続し、ＰＣを通じて通知先情報を登録するようにしてもよい。
【００１４】
図２を参照して、プロジェクタ１０１の内部構成の一例を説明する。プロジェクタ１０１は、表示部２０１と、電源部２０２と、制御部２０３と、記憶部２０４と、アンテナ２０５と、無線通信部２０６と、表示画像データ解析部２０７と、秘匿情報判断部２０８と、作成者情報判断部２０９と、通知処理部２１０と、入力部２１１とを備える。
【００１５】
表示部２０１は、入力部２１１を通じて入力されたＲＧＢデータ（画像データ）を投影する処理を行う。電源部２０２は、プロジェクタ１０１に電源を供給する。制御部２０３は、記憶部２０４に記憶されている制御プログラムを読み出して実行することによりプロジェクタ１０１全体を制御する。記憶部２０４は、制御部２０３が実行する制御プログラムや、他の通信装置との通信に必要となるパラメータ（メールアドレスや無線ＬＡＮパラメータ）等の各種情報を記憶する。後述する各種動作は、記憶部２０４に記憶された制御プログラムを制御部２０３が実行することにより行われる。
【００１６】
アンテナ２０５は、無線通信部２０６により無線通信を行うためのアンテナである。無線通信部２０６は、無線通信の制御処理を行う。本実施形態では、無線通信には無線ＬＡＮを用いるものとする。
【００１７】
表示画像データ解析部２０７は、入力部２１１を通じて入力された画像データの画像解析を行う。具体的には画像データ内の文字列をパターンマッチングによって検出する処理が行われる。秘匿情報判断部２０８は、表示画像データ解析部２０７により解析された画像データに秘匿情報が含まれるか否かを判断する。秘匿情報とは、“Ｃｏｎｆｉｄｅｎｔｉａｌ”や“機密”などの秘匿性を示す文字列であり、画像データ内に秘匿性を示す文字列が含まれるかを判断する。秘匿性を示す文字列のパターン情報は、記憶部２０４に記憶されているものとする。
【００１８】
作成者情報判断部２０９は、表示画像データ解析部２０７により解析された画像データ内に作成者情報が含まれるか否かを判断する。作成者情報が含まれるか否かは、画像データ内でパターンマッチングによって検出された文字列に対して、予めプロジェクタに登録されている通知先情報内の氏名情報と一致するものがあるか否かにより判断される。例えば、資料ファイルのタイトルページ内に含まれる資料ファイルの作成者の氏名情報などが解析により抽出され、通知先情報内の氏名情報と比較される。
【００１９】
通知処理部２１０は、作成者情報判断部２０９により画像データ内に作成者情報が含まれると判断された場合に、通知先情報内で作成者情報と関連付けされている接続先情報を取得し、画像データの表示可否の問い合わせ通知を行う。例えば、接続先情報がメールアドレスである場合には、該メールアドレス宛てに、秘匿情報を含む画像データと、当該画像データを表示して良いか否かの問い合わせを通知する。入力部２１１は、外部から入力されるＲＧＢデータを入力データとして処理する。
【００２０】
次に図３を参照して、携帯電話１０２の内部構成の一例を説明する。携帯電話１０２は、電源部３０１と、制御部３０２と、記憶部３０３と、アンテナ３０４と、無線通信部３０５と、操作部３０６と、表示部３０７と、通話部３０８と、通知処理部３０９とを備える。
【００２１】
電源部３０１は、携帯電話１０２に電源を供給する。制御部３０２は、記憶部３０３に記憶される制御プログラムを実行することにより携帯電話１０２全体を制御する。記憶部３０３は、制御部３０２が実行する制御プログラムや、電話帳等の各種情報を記憶する。後述する各種動作は、記憶部３０３に記憶された制御プログラムを制御部３０２が実行することにより行われる。
【００２２】
アンテナ３０４は、公衆網通信や無線ＬＡＮ通信などの無線通信を行うためのアンテナである。アンテナは共用型でもよいし、無線通信方式毎に設けられてもよい。無線通信部３０５は、公衆網通信や無線ＬＡＮ通信を行うための処理部であり、各種無線通信のドライバ、プロトコル処理部として機能する。
【００２３】
操作部３０６は、ユーザが携帯電話１０２を操作するために使用される。操作部３０６には、携帯電話１０２への入力を受け付けるための操作ボタン等が含まれる。表示部３０７は、ＬＣＤやＬＥＤなどであって、各種表示を行い、視覚で認知可能な情報の出力、あるいはスピーカなどの音出力が可能な機能を有する。通話部３０８は、ユーザが通話を行うために使用される。
【００２４】
通知処理部３０９は、秘匿情報を含む画像データの表示可否の問い合わせを受信し、その旨をユーザに通知し、ユーザからの表示可否の入力を受け付け、入力結果を応答として問合せ元に返す。例えば、メール通知を受けた際に、表示可否の問い合わせがあることを表示部３０７に表示し、操作部３０６を通じたユーザ操作に基づいて表示可否を判断し、その結果をメール送信元に対して返信するといった処理を行う。
【００２５】
なお、図２および図３に示される上記ブロック構成は一例であり、複数の機能ブロックが１つの機能ブロックを構成するようにしてもよいし、何れかの機能ブロックが更に複数の機能ブロックに分かれて構成されてもよい。
【００２６】
以下、図４−図６を参照して、本実施形態に係る処理を説明していく。図４は、本実施形態における各装置間のシーケンス図である。なおプロジェクタ１０１と携帯電話１０２との間の無線ＬＡＮアクセスポイント１０４、インターネット１０６、公衆網１０７、および公衆網基地局１０８は省略して記載している。図５は、本実施形態に係るプロジェクタ１０１の処理の手順を示すフローチャートである。図６は、本実施形態に係る携帯電話１０２の処理の手順を示すフローチャートである。
【００２７】
まず図４に示されるように、初めにノートＰＣ１０３とプロジェクタ１０１とが接続され、ノートＰＣ１０３が保持している資料ファイルの投影のための処理が開始される。資料ファイルには、タイトルページ内に“Ｃｏｎｆｉｄｅｎｔｉａｌ”が記載されており、また、資料の作成者名として携帯電話１０２の所有者の氏名が記載されているものとする。
【００２８】
資料ファイルの投影を開始すると、タイトルページの画像データ（ＲＧＢデータ）が入力データとして、ノートＰＣ１０３からプロジェクタ１０１へ入力される（Ｍ４０１）。この入力によって、図５のフローチャートに示されるプロジェクタ１０１の処理が実行される。
【００２９】
Ｓ５０１において、プロジェクタ１０１は、入力部２１１により画像データを受信したか否かを判定する。画像データを受信したと判定された場合（Ｓ５０１；ＹＥＳ）、Ｓ５０２へ進む。一方、画像データを受信していないと判定された場合（Ｓ５０１；ＮＯ）、受信するまで待機する。
【００３０】
Ｓ５０２において、プロジェクタ１０１は、秘匿情報の解析処理を行う。秘匿情報の解析処理では、表示画像データ解析部２０７が画像データの解析を行い、さらに秘匿情報判断部２０８が画像データ内に秘匿情報が含まれるか否かを解析する。本実施形態では“Ｃｏｎｆｉｄｅｎｔｉａｌ”の文字列が画像データ内に含まれており、記憶部２０４に記憶されている秘匿情報とのパターンマッチングにより“Ｃｏｎｆｉｄｅｎｔｉａｌ”が含まれると解析される。
【００３１】
Ｓ５０３において、プロジェクタ１０１は、Ｓ５０２の解析結果に基づいて画像データに秘匿情報が含まれているか否かを秘匿情報判断部２０８により判定する。秘匿情報が含まれていると判定された場合（Ｓ５０３；ＹＥＳ）、Ｓ５０４へ進む。一方、秘匿情報が含まれていないと判定された場合（Ｓ５０３；ＮＯ）、Ｓ５１２へ進む。なお本実施形態では、Ｓ５０３において秘匿情報があると判断されるので、Ｓ５０４へ進む。
【００３２】
Ｓ５０４において、プロジェクタ１０１は、入力された画像データを表示しないように表示停止処理を行う。
【００３３】
Ｓ５０５において、プロジェクタ１０１は、画像データの元ファイルの作成者を判定するために作成者情報解析処理を実行する。作成者情報が含まれるか否かの解析は、表示画像データ解析部２０７が画像データから文字列を抽出し、作成者情報判断部２０９が記憶部２０４に記憶されている通知先情報内の携帯電話の所有者の氏名情報と同一の文字列があるか否かを解析することにより行われる。
【００３４】
Ｓ５０６において、プロジェクタ１０１は、Ｓ５０５の解析結果に基づいて画像データに作成者情報が含まれるか否かを作成者情報判断部２０９により判定する。作成者情報が含まれると判定された場合（Ｓ５０６；ＹＥＳ）、Ｓ５０８へ進む。一方、作成者情報が含まれていないと判定された場合（Ｓ５０６；ＮＯ）、Ｓ５０７へ進む。
【００３５】
Ｓ５０７において、プロジェクタ１０１は、画像データを表示できない旨を表示部２０１に表示する。
【００３６】
Ｓ５０８において、プロジェクタ１０１は、作成者情報に対応する携帯電話１０２の所有者の氏名情報と関連付けられているメールアドレスに対して、表示してよいか否かを問い合わせるための表示可否要求信号（Ｍ４０２）をメールで送信する（要求送信）。その際に、画像データをメールに添付するようにしてもよい。
【００３７】
携帯電話１０２は、プロジェクタ１０１から表示可否要求（Ｍ４０２）を受信すると（要求受信）、表示可否判定処理を実行する。当該表示可否判定処理については、図６を参照して後述する。携帯電話１０２は、表示可否判定処理の結果として、プロジェクタ１０１へ表示可否応答（Ｍ４０３）を送信する（応答送信）。
【００３８】
Ｓ５０９において、プロジェクタ１０１は、携帯電話１０２から表示可否応答（Ｍ４０３）を受信したか否かを判定する（応答受信）。表示可否応答（Ｍ４０３）を受信したと判定された場合（Ｓ５０９；ＹＥＳ）、Ｓ５１０へ進む。一方、表示可否応答（Ｍ４０３）を受信していないと判定された場合（Ｓ５０９；ＮＯ）、受信するまで待機する。
【００３９】
Ｓ５１０において、プロジェクタ１０１は、受信したメールに含まれる表示可否応答（Ｍ４０３）を解析して、画像データを表示可であるかまたは表示不可であるかを判定する。表示可であると判定された場合（Ｓ５１０；ＹＥＳ）、Ｓ５１１へ進む。一方、表示不可であると判定された場合（Ｓ５１０；ＮＯ）、Ｓ５０７へ進む。
【００４０】
Ｓ５１１において、プロジェクタ１０１は、表示停止を解除する。Ｓ５１２において、プロジェクタ１０１は、画像データを投影して表示する。以上で図５の表示判定処理が終了する。  次に図６のフローチャートを参照して、携帯電話１０２が実行する表示可否判定処理について説明する。
【００４１】
Ｓ６０１において、携帯電話１０２は、表示可否要求（Ｍ４０２）のメールを受信したか否かを判定する。表示可否要求を受信したと判定された場合（Ｓ６０１；ＹＥＳ）、Ｓ６０２へ進む。一方、表示可否要求を受信していないと判定された場合（Ｓ６０１；ＮＯ）、受信するまで待機する。
【００４２】
Ｓ６０２において、携帯電話１０２は、表示可否の問い合わせを受けた旨を表示部３０７に表示する。その際に、メールに添付された画像データを表示するようにして、どの画像データに対する表示可否の問い合わせかを作成者が容易に認識できるようにしてもよい。
【００４３】
Ｓ６０３において、携帯電話１０２は、作成者による表示可否の判断に応じて、表示可もしくは表示不可の入力を、操作部３０６を介して受け付ける。
【００４４】
Ｓ６０４において、携帯電話１０２は、作成者からの入力を受け付けると、表示可否応答（Ｍ４０３）をメール送信元にメールで送信する。メールはプロジェクタ１０１が応答を解釈できるように規定のフォーマットで送信される。以上で図６の表示可否判定処理が終了する。
【００４５】
以上説明したように、本実施形態によれば、表示する画像データに秘匿情報が含まれる場合に、ファイル作成者の許可がある場合のみ画像データを表示するため、画像データ表示時の機密性を向上することができる。
【００４６】
また本実施形態では、秘匿情報と作成者情報とが同一の画像データ内に含まれる場合について説明したが、秘匿情報と作成者情報とが同一の画像データ内に含まれていない場合には、別々の画像データから抽出した情報をそれぞれ記憶しておくようにしてもよい。その場合、秘匿情報のみが先に抽出された場合は作成者情報を含む画像データを受信するまで表示を停止しておく。作成者情報のみが先に抽出された場合は作成者情報を記憶部２０４に記憶しておき、秘匿情報が抽出された時点で記憶されている作成者情報を用いるようにする。これにより、秘匿情報と作成者情報とが同一画像データ内にない場合でも本提案の機能を実現することができる。
【００４７】
また、人物の顔画像を秘匿情報として扱うようにしてもよい。この場合、画像データ内に顔画像が含まれているか否かを画像解析により判断し、顔画像が含まれる場合は秘匿情報として扱う。プロジェクタ１０１に記憶されている通知先情報には登録されている所有者情報として所有者の顔画像を登録するようにする。画像データ内に人物の顔画像が含まれる場合、予めプロジェクタに登録されている通知先情報内の顔画像と一致するものがあるか否かで、作成者情報が含まれるか否かを判断する。これにより、カメラで撮影した画像のように文字列を含まない画像データを表示するような場合でも、自分が写っている画像に対して、表示を許可するか否かを判断することができる。
【００４８】
また、作成者情報が複数抽出された場合には、抽出された複数の作成者の携帯端末に対して表示可否の問い合わせを行い、作成者全員から表示可の応答があった場合のみ表示を行うようにしてもよい。これにより、作成者全員の合意を受けて表示が許可されるので、機密性の向上につながる。
【００４９】
（第２実施形態）
第２実施形態では、表示可否の問い合わせ時の通知先情報として、無線ＬＡＮの接続情報を用い、また当該接続情報を画像データに電子透かし等を用いて埋め込んだ場合の処理について説明する。
【００５０】
図７は、第２実施形態に係るネットワーク構成図である。図７に示される、プロジェクタ１０１、携帯電話１０２、ノートＰＣ１０３は第１実施形態と同様である。資料ファイル作成時に携帯電話１０２への接続情報を電子透かしで画像データに予め埋め込んでおく。本実施形態では、接続情報として無線ＬＡＮのネットワークを構築するためのＳＳＩＤや暗号方式、暗号鍵などの無線パラメータを用いる。プロジェクタ１０１は、無線ＬＡＮによる通信が可能であり、無線ＬＡＮネットワーク７０１を構築することができ、無線ＬＡＮネットワーク７０１を介して携帯電話１０２と通信することができる。本実施形態におけるプロジェクタ１０１および携帯電話１０２の内部構成は、それぞれ図２、図３を参照して説明したブロック図と同様であるため、ここでは説明を省略する。
【００５１】
以下、図８−図１０を参照して、本実施形態に係る処理を説明していく。図８は、本実施形態における各装置間のシーケンス図である。図９は、本実施形態に係るプロジェクタ１０１の処理の手順を示すフローチャートである。図１０は、本実施形態に係る携帯電話１０２の処理の手順を示すフローチャートである。
【００５２】
図８に示されるように、はじめに携帯電話１０２を用いて、所望のファイル内の秘匿情報を含む画像データに、携帯電話１０２が接続すべき無線ＬＡＮネットワーク７０１のパラメータを、電子透かしとして埋め込む処理を行う。無線ＬＡＮネットワーク７０１は、表示可否の問い合わせ通知を携帯電話１０２がプロジェクタ１０１から受けるために使用される無線ネットワークである。
【００５３】
電子透かしの埋め込み処理は、所望の資料ファイル・画像データを携帯電話１０２が受け取って、携帯電話１０２が当該データに電子透かしを埋め込んでもよいし、資料ファイル・画像データを保持しているカメラやＰＣが携帯電話１０２から無線ＬＡＮパラメータを受け取って、当該データに電子透かしを埋め込むようにしてもよい。
【００５４】
また、セキュリティの観点から電子透かし埋め込みのためのパスワードを設け、規定のパスワードで認証が取れた場合のみ、電子透かしの埋め込み処理を可能とするようにしてもよい。
【００５５】
本実施形態では、接続情報が埋め込まれた状態のファイルが携帯電話１０２によりサーバ等にアップロードされ、ノートＰＣ１０３が当該ファイルをサーバからダウンロードしたものとする。
【００５６】
図８において、ノートＰＣ１０３がサーバからダウンロードした資料ファイルのタイトルページの画像データ（ＲＧＢデータ）が入力データとしてプロジェクタ１０１に入力される（Ｍ８０１）。
【００５７】
プロジェクタ１０１は、図９のフローチャートに示される表示判定処理を実行する。Ｓ９０乃至Ｓ９０４の各処理は、第１実施形態で説明した図５のＳ５０１乃至Ｓ５０４の各処理と同様であるため、説明を省略する。
【００５８】
Ｓ９０５において、プロジェクタ１０１は、作成者情報の解析処理を行う。本実施形態では、画像データ内に電子透かしによる接続情報が含まれるか否かを解析する（無線パラメータ取得処理）。Ｓ９０６において、プロジェクタ１０１は、作成者情報判断部２０９により画像データ内に接続情報が含まれるか否かを判定する。接続情報が含まれると判定された場合（Ｓ９０６；ＹＥＳ）、Ｓ９０８へ進む。一方、接続情報が含まれていないと判定された場合（Ｓ９０６；ＮＯ）、Ｓ９０７へ進む。
【００５９】
Ｓ９０７において、プロジェクタ１０１は、画像データを表示できない旨を表示部２０１に表示する。Ｓ９０８において、プロジェクタ１０１は、無線パラメータ取得処理により電子透かしで取得した接続情報が有する無線ＬＡＮパラメータで無線ＬＡＮネットワーク７０１を構築し、ビーコン（Ｍ８０２）の送信を開始する。なお、閲覧者がプロジェクタ１０１の表示を視覚的に閲覧可能な範囲に、無線ＬＡＮネットワーク７０１の電波を絞るようにしてもよい。Ｓ９０９において、プロジェクタ１０１は、携帯電話１０２が無線ＬＡＮネットワーク７０１に接続したか否かを判定する。携帯電話１０２が接続したと判定された場合（Ｓ９０９；ＹＥＳ）、Ｓ９１０へ進む。一方、携帯電話１０２が接続していないと判定された場合（Ｓ９０９；ＮＯ）、接続するまで待機する。なお、携帯電話１０２が無線ＬＡＮネットワーク７０１に接続する処理の詳細は、図１０のフローチャートを参照して後述する。
【００６０】
Ｓ９１０において、プロジェクタ１０１は、表示可否要求（Ｍ８０４）を携帯電話１０２へ送信する。Ｓ９１１において、プロジェクタ１０１は、表示可否応答（Ｍ８０５）を携帯電話１０２から受信したか否かを判定する。表示可否応答を受信したと判定された場合（Ｓ９１１；ＹＥＳ）、Ｓ９１２へ進む。表示可否応答を受信していないと判定された場合（Ｓ９１１；ＮＯ）、受信するまで待機する。なお、携帯電話１０２による表示可否応答処理の詳細は、図１０のフローチャートを参照して後述する。
【００６１】
Ｓ９１２において、プロジェクタ１０１は、表示可否応答に基づいて、画像データについて表示可であるか表示不可であるかを判定する。表示可であると判定された場合（Ｓ９１２；ＹＥＳ）、Ｓ９１３へ進む。一方、表示不可であると判定された場合（Ｓ９１２；ＮＯ）、Ｓ９０７へ進む。
【００６２】
Ｓ９１３において、プロジェクタ１０１は、表示停止を解除する。Ｓ９１４において、プロジェクタ１０１は、画像データを投影して表示する。以上で図９の表示判定処理が終了する。
【００６３】
次に図１０のフローチャートを参照して、携帯電話１０２によるネットワーク接続処理について説明する。
【００６４】
Ｓ１００１において、携帯電話１０２は、電子透かしにより埋め込んだ接続情報に対応する規定のＳＳＩＤのネットワークが構築されているか否かを定期的にポーリングして、無線ＬＡＮネットワーク７０１が検知されたか否かを判定する。無線ＬＡＮネットワーク７０１が検知されたと判定された場合（Ｓ１００１；ＹＥＳ）、Ｓ１００２へ進む。一方、無線ＬＡＮネットワーク７０１が検知されていないと判定された場合（Ｓ１００１；ＮＯ）、検知されるまで待機する。
【００６５】
Ｓ１００２において、携帯電話１０２は、電子透かしにより埋め込んだ規定の暗号方式、暗号鍵を用いて無線ＬＡＮネットワーク７０１へ無線ＬＡＮ接続する（Ｍ８０３）。Ｓ１００３において、携帯電話１０２は、表示可否判定処理を行う。表示可否判定処理は、第１実施形態で説明した図６のフローチャートにおいて、データの送受信に無線ＬＡＮを利用する点以外は同様の処理である。データの送受信には表示可否判定のための規定のフォーマットが用いられ、無線ＬＡＮネットワーク上でデータが送受信される。
【００６６】
Ｓ１００４において、携帯電話１０２は、Ｓ１００３の表示可否判定処理が終了すると無線ＬＡＮネットワーク７０１との接続を切断する（Ｍ８０６）。ただし、無線ＬＡＮネットワーク７０１との切断を行わず、接続を維持するようにしてもよい。以上で図１０のネットワーク接続処理が終了する。
【００６７】
以上説明したように、本実施形態によれば、無線ＬＡＮのパラメータを用いた接続情報を画像データに埋め込むことで、予め携帯電話１０２の所有者情報をプロジェクタ１０１へ登録する処理が不要となり利便性が向上する。
【００６８】
また、無線ＬＡＮのような近距離無線通信を用いることでファイル作成者の携帯電話が近くにある場合にのみ表示するため、ファイル作成者が表示装置の近くにいる場合のみ表示を行うようにすることができるという効果もある。
【００６９】
（第３実施形態）
第３実施形態では、携帯電話の所持する電話帳機能を用いて、携帯電話がファイル作成者の特定および通知を行う場合の処理について説明する。
【００７０】
図１１は、第３実施形態に係るネットワーク構成図である。図１１に示される、プロジェクタ１０１、携帯電話１０２、ノートＰＣ１０３は第１実施形態と同様である。なお、携帯電話１０２は第一携帯電話１０２として以下の説明を行う。
【００７１】
また、本実施形態では、第二携帯電話１１０１がさらに追加されている。第二携帯電話１１０１は、基地局１１０２、公衆網１１０４、基地局１１０３を介して第一携帯電話１０２と通信可能である。第１実施形態とは異なり、プロジェクタ１０１により投影される画像データの閲覧者のうちの一人が第二携帯電話１１０１を所持している。プロジェクタ１０１は、無線ＬＡＮによる通信が可能であり、無線ＬＡＮネットワーク７０１を構築することができ、無線ＬＡＮネットワーク７０１を介して第二携帯電話１１０１と通信することができる。
【００７２】
本実施形態に係るプロジェクタ１０１の内部構成は、図２のブロック図から作成者情報判断部２０９および通知処理部２１０を除いて構成される。第一携帯電話１０２の内部構成は、図３のブロック図と同様であるため、ここでは説明を省略する。第二携帯電話１１０１の内部構成を図１２に示す。第二携帯電話１１０１は、表示画像データ解析部１２０１と、作成者情報判断部１２０２と、通知処理部１２０３とをさら備えている点が図３のブロック図と異なる。
【００７３】
表示画像データ解析部１２０１は、プロジェクタ１０１から受信した画像データを解析する。具体的には、画像データ内の文字列をパターンマッチングによって検出する処理が行われる。
【００７４】
作成者情報判断部１２０２は、表示画像データ解析部１２０１により解析された画像データ内に作成者情報が含まれるか否かを判断する。作成者情報が含まれるか否かは、画像データ内でパターンマッチングによって検出された文字列に対して、第二携帯電話１１０１内に記録されている電話帳等の情報を用いて、一致する氏名情報があるか否かによって判断する。
【００７５】
通知処理部１２０３は、作成者情報判断部１２０２により作成者情報が画像データ内に含まれると判断された場合に、作成者の通知先情報（例えばメールアドレス）に対し、画像データの表示可否の問い合わせ通知を行う。例えば、作成者の氏名に対応したメールアドレスを電話帳から取得し、該メールアドレス宛てに秘匿情報を含む画像データと、表示して良いか否かの問い合わせを通知する。
【００７６】
以下、図１３−図１５を参照して、本実施形態に係る処理を説明していく。図１３は、本実施形態における各装置間のシーケンス図である。図１４は、本実施形態に係るプロジェクタ１０１の処理の手順を示すフローチャートである。図１５は、本実施形態に係る第二携帯電話１１０１の処理の手順を示すフローチャートである。
【００７７】
図１３に示されるように、はじめに、初めにノートＰＣ１０３とプロジェクタ１０１とが接続され、ノートＰＣ１０３が保持している資料ファイルの投影のための処理が開始される。資料ファイルのタイトルページの画像データ（ＲＧＢデータ）が入力データとしてノートＰＣ１０３からプロジェクタ１０１へ入力される（Ｍ１３０１）。
【００７８】
この入力によって、図１４のフローチャートに示されるプロジェクタ１０１の処理が実行される。Ｓ１４０１乃至Ｓ１４０４の各処理は、第１実施形態で説明した図５のＳ５０１乃至Ｓ５０４の各処理と同様であるため説明を省略する。
【００７９】
Ｓ１４０５において、プロジェクタ１０１は、秘匿情報を画像データから抽出し、表示停止を行った後、プロジェクタ１０１の閲覧者に対し、携帯電話の登録受付を行うためその旨を表示した画像データを表示する（転送先登録受付処理）。本実施形態では登録を受け付けるために無線ＬＡＮネットワーク７０１を構築する。本実施形態では、閲覧者の所持する第二携帯電話１１０１が登録を行うものとする。
【００８０】
Ｓ１４０６において、プロジェクタ１０１は、第二携帯電話１１０１が無線ＬＡＮネットワーク７０１に接続され（Ｍ１３０２）、当該第二携帯電話１１０１から登録要求（Ｍ１３０３）を受信したか否かを判定する。登録要求を受信したと判定された場合（Ｓ１４０６；ＹＥＳ）、Ｓ１４０７へ進む。一方、登録要求を受信していないと判定された場合（Ｓ１４０６；ＮＯ）、受信するまで待機する。第二携帯電話１１０１による接続処理・登録要求送信処理については、図１５のフローチャートを参照して後述する。
【００８１】
Ｓ１４０７において、プロジェクタ１０１は、第二携帯電話１１０１へ登録応答（Ｍ１３０４）を送信する。登録応答においては、登録可否を応答するようにしてもよい。既に登録済みの携帯電話がある場合は登録不可を応答として送信する。また、登録要求の送信元が携帯電話であるか否かを、送信元の端末からデバイスタイプを取得して判断するようにしてもよい。本実施形態では、第二携帯電話１１０１が登録されたものとする。
【００８２】
Ｓ１４０８において、プロジェクタ１０１は、登録された第二携帯電話１１０１に対して、画像データ情報（Ｍ１３０５）を送信する。画像データ情報として、秘匿情報が含まれる画像データをそのまま転送してもよいし、プロジェクタ１０１がノートＰＣ１０３から受信した画像データを記録しておき、記録されている全ての画像データを転送するようにしてもよい。
【００８３】
Ｓ１４０９において、プロジェクタ１０１は、第二携帯電話１１０１から表示可否応答（Ｍ１３０８）を受信したか否かを判定する。表示可否応答を受信したと判定された場合（Ｓ１４０９；ＹＥＳ）、Ｓ１４１０へ進む。一方、表示可否応答を受信していないと判定された場合（Ｓ１４０９；ＮＯ）、受信するまで待機する。第二携帯電話１１０１による表示可否応答の転送処理については、図１５のフローチャートを参照して後述する。
【００８４】
Ｓ１４１０乃至Ｓ１４１３の各処理は、第１実施形態で説明した図５のＳ５１０乃至Ｓ５１２、Ｓ５０７の各処理と同様であるため説明を省略する。
【００８５】
次に図１５のフローチャートを参照して、第二携帯電話１１０１が実行する表示可否転送処理について説明する。
【００８６】
Ｓ１５０１において、第二携帯電話１１０１は、無線ＬＡＮネットワーク７０１に対し接続処理を行う。接続に必要な無線ＬＡＮのパラメータはプロジェクタ１０１で表示するようにしてもよいし、ＷＰＳ（Ｗｉ−Ｆｉ  Ｐｒｏｔｅｃｔｅｄ  Ｓｅｔｕｐ）などのパラメータ設定方式を用いてもよい。
【００８７】
Ｓ１５０２において、第二携帯電話１１０１は、無線ＬＡＮネットワーク７０１に接続すると登録要求（Ｍ１３０３）を送信する。Ｓ１５０３において、第二携帯電話１１０１は、Ｓ１４０７でプロジェクタ１０１から送信された登録応答を受信する。Ｓ１５０４において、第二携帯電話１１０１は、Ｓ１４０８でプロジェクタ１０１から送信された画像データ情報を受信する。
【００８８】
Ｓ１５０５において、第二携帯電話１１０１は、作成者情報の解析処理を行う。具体的には、表示画像データ解析部１２０１が、受信した画像データから画像データの作成者を解析する処理を行う。画像データに作成者情報が含まれるか否かは、表示画像データ解析部１２０１が画像データから文字列を抽出し、記憶部３０３に記憶されている電話帳情報（他の通信装置への通知先情報と当該他の通信装置の所有者の個人情報とをリストとして記録した個人情報記録リスト）の氏名情報と同一の文字列があるか否かにより判定する。さらに、該当する氏名情報に通知先情報が登録されているか否かも含めて判定する。通知先情報としては例えば携帯電話のメールアドレスなどである。
【００８９】
Ｓ１５０６において、第二携帯電話１１０１は、Ｓ１５０５での解析の結果、作成者情報判断部１２０２を用いて電話帳情報に作成者情報が含まれるか否かを判定する。電話帳情報に作成者情報が含まれると判定された場合（Ｓ１５０６；ＹＥＳ）、Ｓ１５０８へ進む。一方、電話帳情報に作成者情報が含まれていないと判定された場合（Ｓ１５０６；ＮＯ）、Ｓ１５０７へ進む。
【００９０】
Ｓ１５０７において、第二携帯電話１１０１は、画像データの作成者の携帯端末へ表示可否の問い合わせの転送ができない旨をプロジェクタ１０１へ送信する。プロジェクタ１０１はこの場合、画像データの表示停止を継続する。また再度別携帯電話の登録受付を表示するようにしてもよい。
【００９１】
Ｓ１５０８において、第二携帯電話１１０１は、画像データの元ファイルの作成者として抽出された電話帳情報のメールアドレス（例えば、第一携帯電話１０２）に対して、表示可否要求（Ｍ１３０６）を送信する。本実施形態では第一携帯電話１０２の氏名情報、メールアドレスが第二携帯電話１１０１に登録されており、第一携帯電話１０２の情報が通知先情報として抽出されたものとする。第一携帯電話１０２における表示可否要求（Ｍ１３０６）受信後の処理は、通信相手がプロジェクタ１０１から第二携帯電話１１０１に変更された点以外は第１実施形態の図６のフローチャートと同様であるため、ここでの説明は省略する。
【００９２】
Ｓ１５０９において、第二携帯電話１１０１は、第一携帯電話１０２から表示可否応答（Ｍ１３０７）を受信したか否かを判定する。表示可否応答を受信したと判定された場合（Ｓ１５０９；ＹＥＳ）、Ｓ１５１０へ進む。一方、表示可否応答を受信していないと判定された場合（Ｓ１５０９；ＮＯ）、受信するまで待機する。Ｓ１５１０において、第二携帯電話１１０１は、第一携帯電話１０２から受信した表示可否応答をプロジェクタ１０１へ転送（Ｍ１３０８）する（表示可否要求転送処理）。
【００９３】
以上説明したように、本実施形態によれば、携帯電話の所持する電話帳機能を用いてファイル作成者の特定および通知を行うため、プロジェクタにおいて通知先情報の登録やメール機能などを有する必要がなくなる。
【００９４】
また、電話帳内にファイル作成者の情報を持たない人物のような、ファイル作成者と関連のない人物に対して画像データを表示しないようにするため、秘匿性の向上に繋がる。
【００９５】
また、本実施形態において、作成者情報を第二携帯電話１１０１側で画像解析により取得するようにしたが、プロジェクタ１０１で画像解析し、画像解析により取得した文字情報を第二携帯電話１１０１に通知するようにしてもよい。これにより、第二携帯電話側で画像解析機能を所有する必要がなくなる。
【００９６】
また、本実施形態において、作成者情報として電話帳内の氏名情報をもとに判定を行ったが、画像データ内にメールアドレスなどの宛先情報が含まれる場合、メールアドレスを用いて判定するようにしてもよい。もしくは顔画像が画像データ内に含まれる場合、電話帳に登録してある個人を特定できるような画像データと比較して判定するようにしてもよい。これにより、氏名情報以外の情報でも作成者の情報を判定できるようになる。
【００９７】
なお、上述の各実施形態においては、プロジェクタおよび携帯電話間の無線通信にＩＥＥＥ８０２．１１準拠の無線ＬＡＮを適用した場合について説明したが、これに限る物ではない。例えば、ワイヤレスＵＳＢ、ＭＢＯＡ、Ｂｌｕｅｔｏｏｔｈ（登録商標）、ＵＷＢ、ＺｉｇＢｅｅ等の他の無線媒体において実施してもよい。また、有線ＬＡＮ等の湯煎通信媒体において実施してもよい。ここで、ＭＢＯＡは、Ｍｕｌｔｉ  Ｂａｎｄ  ＯＦＤＭ  Ａｌｌｉａｎｃｅの略である。また、ＵＷＢは、ワイヤレスＵＳＢ、ワイヤレス１３９４、ＷＩＮＥＴなどが含まれる。
【００９８】
また、上述の各実施形態においては、表示装置としてプロジェクタを用いて説明したが、これに限る物ではない。例えば、テレビなどのディスプレイ装置を表示装置として用いて実施してもよい。また、ＰＣのディスプレイに対して本表示装置の機能を適用してもよい。
【００９９】
また、上述の各実施形態においては、携帯端末として携帯電話を用いて説明したが、これに限る物ではない。例えば、スマートフォンやＰＨＳ等さらにはＰＣ等の他の携帯端末を用いて実施してもよい。
【０１００】
以上説明したように、上述の各実施形態によれば、画像データの元ファイルの作成者が表示の可否を判断できるようになり、画像データが二次利用されるような場合でも、作成者の意図に反して秘匿情報が表示されてしまうことを防止することができる。
【０１０１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013224983.tif 000003
【図２】
2013224983.tif 000004
【図３】
2013224983.tif 000005
【図４】
2013224983.tif 000006
【図５】
2013224983.tif 000007
【図６】
2013224983.tif 000008
【図７】
2013224983.tif 000009
【図８】
2013224983.tif 000010
【図９】
2013224983.tif 000011
【図１０】
2013224983.tif 000012
【図１１】
2013224983.tif 000013
【図１２】
2013224983.tif 000014
【図１３】
2013224983.tif 000015
【図１４】
2013224983.tif 000016
【図１５】
2013224983.tif 000017